(57)【要約】  ペニスに対する刺激や締め付け力の元となる圧力源として、容器内の圧力を増減調整することによって、適正圧による変化に富んだ刺激、締め付け力を得ることができる減圧装置を提供する。挿入空所１５を有すると共に該挿入空所に内外を連通可能とするバルブ部１０ａを有したゲル状樹脂製の射精促進具１０、及び該射精促進具を収容する容器２を備えた射精促進装置１に装着されて容器内を減圧する減圧装置５０であって、容器に設けた抜気穴３ｂと連通する負圧導入部５５と、負圧導入部、及び抜気穴を経由して容器内に導入する負圧を生成する負圧生成部５３と、該負圧導入部から容器内に供給される負圧を調整する負圧調整部６０と、を備えた。
2016132462.tif 000002
【特許請求の範囲】
【請求項１】
挿入口から内部に延びる挿入空所を有すると共に該挿入空所に内外を連通可能とするバルブ部を有したゲル状樹脂製の射精促進具、及び該射精促進具を収容する容器を備えた射精促進装置に装着されて前記容器内を減圧する減圧装置であって、
前記容器に設けた抜気穴と連通する負圧導入部と、前記負圧導入部、及び前記抜気穴を経由して前記容器内に導入する負圧を生成する負圧生成部と、該負圧導入部から前記容器内に供給される負圧を調整する負圧調整部と、を備えたことを特徴とする射精促進装置の減圧装置。
【請求項２】
前記抜気穴を含む前記容器の一部を覆った時に前記負圧導入部を前記抜気穴と連通させる装着部を備えたことを特徴とする請求項１に記載の射精促進装置の減圧装置。
【請求項３】
前記負圧導入部、前記負圧生成部、及び前記負圧調整部を備えた減圧装置本体と、該減圧装置本体に着脱されるアダプタと、を備え、
前記装着部は前記アダプタに設けられていることを特徴とする請求項２に記載の射精促進装置の減圧装置。
【請求項４】
挿入口から内部に延びる挿入空所を有すると共に該挿入空所に内外を連通可能とする抜気穴を有したゲル状樹脂製の射精促進具に装着されて該挿入空所内を減圧する減圧装置であって、
前記抜気穴と連通する負圧導入部と、前記負圧導入部、及び前記抜気穴を経由して前記挿入空所内に導入する負圧を生成する負圧生成部と、該負圧導入部から前記挿入空所内に供給される負圧を調整する負圧調整部と、を備えたことを特徴とする射精促進装置の減圧装置。
【発明の詳細な説明】
【技術分野】
【０００１】
本発明は医学的な研究、治療のための要請や、性犯罪防止、売春防止、及び性病の蔓延防止等の社会的な要請に基づいて従来から使用されてきた射精促進装置の使用効率をより高めることができる減圧装置に関するものである。
【背景技術】
【０００２】
医学的な研究や治療上の必要から、男性の精子を採取するための射精促進装置（精子採取装置）が種々提案されている。例えば、夫婦間の不妊の原因を究明するために採取した精子から夫の性機能を検査したり、性機能障害を治療したり、人工授精のために精子を確保、保管する等の医学的な必要性のために射精促進装置が使用される。更に、個人的な性的欲求を解消させることによる性犯罪の予防、売春防止、性病感染者数の減少等の種々の社会的なニーズを満たすためにも、従来から低廉に入手することができ、しかも使い捨てタイプ、或いは洗浄可能なタイプであるために衛生上、健康上の問題も惹起しない簡易な射精促進装置が知られている。
例えば特許文献１（特開２００６−３３４１７６公報）には、長手方向一端が開口した比較的硬質なプラスチック製の筒状の容器と、容器内に収容され、長手方向一端の挿入口から内部に延びる挿入空所を備えたゲル状樹脂製のコア部材とから成る射精促進装置が開示されている。【０００３】
しかし、この射精促進装置にあっては、コア部材の挿入空所内にペニスを挿入してコア部材を膨張させた時に、コア部材と容器との間に形成される空間の内圧を所定値以下に減圧させることができないために、ペニスに対する締め付け力の増大に限界があった。
つまり、使用者の射精を促進する刺激の強弱には個人差があり、弱い刺激で充分な人もいれば、強い刺激でないと効果が得られない人もいるが、強い刺激を得させるためにはペニス先端部（亀頭部）に対するコア部材の密着力（吸着力）を高めることが有効である。即ち、挿入空所にペニスを挿入した状態でペニスを摺擦させたときにペニス先端部に加わる刺激を高めるためには、コア部材と容器との間に形成される空間の内圧を減圧させてペニス先端部とコア本体の密着力（吸着力）を高めることが有効である。しかし、特許文献１の構成ではこのような減圧には限界がある。
【先行技術文献】
【特許文献】
【０００４】
【特許文献１】特開２００６−３３４１７６公報
【発明の概要】
【発明が解決しようとする課題】
【０００５】
本発明は上記に鑑みてなされたものであり、ペニスに対する刺激や締め付け力の元となる圧力源として、容器内の圧力を増減調整することによって、適正圧による変化に富んだ刺激、締め付け力を得ることができる射精促進装置の減圧装置の提供を目的としている。
つまり、容器内を減圧、抜気することによりペニスに対する締め付け力を使用者の好みに合わせて調整できるようにしたものである。
【課題を解決するための手段】
【０００６】
上記目的を達成するため、本発明に係る射精促進装置用の減圧装置は、挿入口から内部に延びる挿入空所を有すると共に該挿入空所に内外を連通可能とするバルブ部を有したゲル状樹脂製の射精促進具、及び該射精促進具を収容する容器を備えた射精促進装置に装着されて前記容器内を減圧する減圧装置であって、前記容器に設けた抜気穴と連通する負圧導入部と、前記負圧導入部、及び前記抜気穴を経由して前記容器内に導入する負圧を生成する負圧生成部と、該負圧導入部から前記容器内に供給される負圧を調整する負圧調整部と、を備えたことを特徴とする。
【発明の効果】
【０００７】
本発明によれば、コア部材を収容した容器内の圧力を任意に減圧調整してペニスに対する締め付け力を調整することにより、使用者の感度の個人差に柔軟に対応させつつ射精という目的を効率的に達成することができる。
【図面の簡単な説明】
【０００８】
【図１】（ａ）及び（ｂ）は本発明の一実施形態に係る減圧装置をアダプタを介して射精促進装置に装着した状態を示す斜視図、及び分解斜視図である。
【図２】減圧装置を適用する対象物としての射精促進装置の一例の分解斜視図である。
【図３】減圧装置（減圧装置本体）の外観斜視図である。
【図４】（ａ）乃至（ｆ）は減圧装置本体の外観構成を示す正面図、左側面図、右側面図、背面図、平面図、及び底面図である。
【図５】（ａ）及び（ｂ）は図４（ａ）中のＡ-Ａ断面図、及び図４（ｃ）中のＢ-Ｂ断面図である。
【図６】（ａ）及び（ｂ）は減圧装置本体の内部構成を示すレバー側の斜視図、及び反対面側の斜視図である。
【図７】（ａ）及び（ｂ）は減圧装置本体の内部構成を示すレバー側の上側斜視図、及び反対面側の下側斜視図である。
【図８】（ａ）及び（ｂ）は電池ボックスの構成及び装着手順を示す図である。
【図９】本発明の減圧装置の原理を説明する模式図である。
【図１０】アダプタの一例の外観斜視図である。
【図１１】（ａ）乃至（ｆ）はアダプタの正面図、左側面図、右側面図、背面図、平面図、及び底面図である。
【図１２】（ａ）及び（ｂ）はアダプタを装着した射精促進装置の断面図である。
【図１３】本発明の第２の実施形態に係る射精促進装置の減圧装置の構成例を示す図である。
【発明を実施するための形態】
【０００９】
＜第１の実施形態＞
（基本的な構成）
以下、本発明を図面に示した実施形態により詳細に説明する。
図１（ａ）及び（ｂ）は本発明の一実施形態に係る減圧装置をアダプタを介して射精促進装置に装着した状態を示す斜視図、及び分解斜視図であり、図２は減圧装置を適用する対象物としての射精促進装置の一例の分解斜視図である。
図１に示した本発明の減圧装置５０は、アダプタ１００を介して射精促進装置に装着されることにより、射精促進装置の容器に設けた抜気穴から容器内部に負圧を導入して内部を減圧する手段である。
まず、射精促進装置１について図２に基づいて説明する。
この射精促進装置（精子採取装置）１は、長手方向（軸方向）一端面が開口した筒状の容器本体（容器）３、及び容器本体３の開口部４に着脱してこれを開閉するキャップ（容器）５から成る容器２と、容器本体３内に収容され、長手方向（軸方向）一端面の挿入口１３から内部に延びる挿入空所１５を有したゲル状樹脂製のコア部材（射精促進具）１０と、を概略備えている。
【００１０】
更に、コア部材１０の外周と容器本体３内壁との間に配置される発泡ウレタン製のシート２０は、コア部材の挫屈防止手段、及びコア部材に切り込み形成したカット（バルブ部）１０ａから内部の潤滑液（ローション）が漏出された場合に潤滑液が外部に拡散しないように保持するフィルターとして機能する。コア部材先端と容器本体先端内壁との間に配置された発泡ウレタン製のフィルター２１は、コア部材内部から漏出した潤滑液（ローション）が外部に拡散しないように保持する手段である。フィルター２１の先端側に配置されたウレタン製のドーナツ状の部材２２はコア部材内部から漏れる空気音を解消する手段である。
コア部材の挿入口側（後部側）とキャップ５との間には、ドーナツ状の内部ウレタン２３、硬質樹脂製リング２４が配置されている。ドーナツ状の内部ウレタン２３は、コア部材の挿入口側内部に配置してもよい。内部ウレタン２３はコア部材の挿入口からペニスを挿入する時に柔らかい感触を生み出しスムーズな挿入を補助する手段である。リング２４は、コア部材１０を容器本体内に挿着する嵌込む際に用いる部材である。
【００１１】
容器本体３は、所要肉厚の樹脂材料から構成されており、長手方向両端部（大径部３Ａ、３Ｂ）の外径よりも中間部（小径部）３Ｃの外径が小さい非円筒体である。大径部３Ａと中間部３Ｃとの連結部の形状、及び、大径部３Ｂと中間部３Ｃとの連結部の輪郭形状は、円弧状（曲線状）となっている。
容器本体（容器）３の他端部３ａには必要に応じて抜気用の小孔である抜気穴３ｂを形成しておき、未使用時には図示しないシールにより封止しておく。使用時には、シールを除去し、使用中に指で抜気穴３ｂを閉じたり開放することにより、コア部材１０内壁とペニスとの間の密着度、密着感（吸付き感、吸引感）を調整することができる。即ち、抜気穴３ｂを塞いだ状態ではペニスがコア部材内壁に密着するため締め付け力が強くなり、抜気穴を開放した状態では締め付け力が弱くなる。このように抜気穴を開閉する操作によって、締め付け力（大気圧との圧力差）を僅かではあるが変化させて刺激を変化させることが可能となる。
【００１２】
これを更に詳述すると、抜気穴３ｂを開放した状態で挿入口１３からペニスを挿入空所１５内に挿入すると、コア部材１０は本来の柔軟性を維持することができるため（変形自在なため）、ペニスは挿入空所内をスムーズに進退することができる。特に、コア部材の挿入空所壁部に設けたカット（バルブ部）１０ａは挿入空所内の内圧が高まった時に開放し、減圧する時に閉止するため、ペニス挿入時にはスムーズな挿入を許容する一方で、引き抜く方向へ移動する時にはカット１０ａが逆止弁的に閉止する。このため、挿入空所内部が真空状態に近づき、引抜き方向へ移動するペニスに対して挿入空所内壁が吸着する効果が生まれる。
一方、抜気穴を開放した状態でペニスを挿入空所１５内に挿入した後で、抜気穴３ｂを塞いでペニスを挿入口１３側へ移動させると、挿入空所内壁がペニス外面に比較的強い力で吸着する所謂バキュームという現象が起きる。バキューム状態では、ペニスが挿入空所内壁と吸着するため、ペニスを挿入空所内でスムーズに進退させにくくなるが、吸着感を得ることができる。
【００１３】
コア部材（射精促進具）１０は、エラストマーのような粘性を有したゲル状の樹脂、或いはゲル状のゴム等から構成された略袋状体であり、その挿入側端部には大径のフランジ（環状リブ）１７を備えると共に、小径の挿入口１３の内部には挿入空所１５が連通して形成されている。挿入空所１５内には任意の配置にて突起、襞等が形成されている。コア部材の先端寄りの側面適所には挿入空所１５と外部とを連通させる切り込み状のカット１０ａが形成されている。カット１０ａはエラストマーの弾性により常時は閉じているが、内圧が高まった場合には開放して挿入空所１５内の空気を外部に放出する逆止弁として機能する。挿入空所１５内には潤滑液としてのローション等を適量予め充填しておく。
ところで上述したように、射精を促進する刺激の強弱には個人差があり、弱い刺激で充分な人もいれば、強い刺激でないと効果が得られない人もいる。強い刺激を得させるためにはペニス先端部（亀頭部）に対するコア部材の密着力（吸着力）を高めることが有効である。しかし、抜気穴３ｂを指で塞ぐだけの操作では得られる吸着力には限界があり、強い刺激が必要な人にとっては射精という目的を達成できない結果となる。
即ち、挿入空所にペニスを挿入した状態でペニスを摺擦させたときにペニス先端部に加わる刺激を高めるためには、コア部材と容器本体との間に形成される空間Ｓの内圧（容器本体内の内圧）を積極的に減圧させてペニス先端部とコア本体の密着力（吸着力）を高めることが有効である。
本発明は容器２内の内圧を任意に減少（増減）させることができる減圧装置５０を提供するものである。
【００１４】
（減圧装置）
図３は減圧装置（減圧装置本体）の外観斜視図であり、図４（ａ）乃至（ｆ）は減圧装置本体の外観構成を示す正面図、左側面図、右側面図、背面図、平面図、及び底面図であり、図５（ａ）及び（ｂ）は図４（ａ）中のＡ-Ａ断面図、及び図４（ｃ）中のＢ-Ｂ断面図である。図６（ａ）及び（ｂ）は減圧装置本体の内部構成を示すレバー側の斜視図、及び反対面側の斜視図であり、図７（ａ）及び（ｂ）は減圧装置本体の内部構成を示すレバー側の上側斜視図、及び反対面側の下側斜視図である。図８（ａ）及び（ｂ）は電池ボックスの構成及び装着手順を示す図である。図９は本発明の減圧装置の原理を説明する模式図である。
【００１５】
減圧装置５０は、抜気穴３ｂを含む射精促進装置１の外面に装着された状態で作動して容器本体内部に負圧を導入することにより容器本体内を減圧する手段である。減圧装置が減圧するのは、容器本体の内壁と、容器本体の開口を閉止するコア部材のフランジ部１７によって形成される空間Ｓ（図１２参照）である。射精促進装置の種類によっては、コア部材のフランジ部によって容器本体の開口を閉止していないタイプもあるが、この場合にも減圧対象となるのは容器本体（容器）内壁とコア部材との間の空間である。
減圧装置５０は、減圧装置本体５１と、減圧装置本体５１に対して着脱交換可能に装着され、且つ射精促進装置１に対して直接接続されるアダプタ１００と、を概略備えている。
減圧装置本体５１は、負圧を生成する負圧生成部５３と、負圧生成部５３により生成された負圧を容器本体３に設けた抜気穴３ｂに導入することにより容器本体内部を減圧する負圧導入部５５と、負圧導入部５５から容器本体内に供給される負圧の値を調整する負圧調整部６０と、を概略備えている。容器本体内に導入された負圧は直接的には容器本体内壁とコア部材外面との間の空間Ｓに導入されるが、コア部材に設けた切り込みであるカット１０ａを介して挿入空所１５内部にも導入される。
【００１６】
本例に係る減圧装置５０では、射精促進装置１の容器（容器本体）に対して減圧装置本体５１を直接装着するのではなく、アダプタ１００を介して容器２に装着する構成であるが、減圧装置本体を直接容器に装着できる構成としてもよい。この場合には減圧装置本体５１が減圧装置５０となる。このような構成は例えば減圧装置本体５１の底面に射精促進装置の容器本体と気密的に接続することができる構成を付加すればよい。例えば、減圧装置本体をアダプタ１００と一体化することによりそのような構成を実現できる。
なお、アダプタ１００は、形状、サイズ等が異なる射精促進装置の容器に対して適したものを複数種類備えておくことにより、一つの減圧装置本体５１に対して交換して適用することで多種多様な射精促進装置に適用できるようにするものである。
減圧装置本体５１は、図９の原理説明図に示すように、ポンプ５３ａ（例えば、ダイヤフラムポンプ）とモーター５３ｂから成る負圧生成部５３と、負圧生成部５３が生成した負圧を抜気穴３ｂを経由して容器本体内に導入して減圧する負圧導入部（吸引口）５５と、負圧導入部５５から吸引された容器本体内の空気を排気する排気部５７と、負圧生成部５３と負圧導入部５５との間（その他の適所）に接続された負圧調整部６０と、負圧生成部５３、及び負圧調整部６０に電力を供給する電源としての電池７０と、負圧生成部への電力の供給をオンオフする電源スイッチ７２と、負圧調整部６０の作動スイッチ（調整スイッチ、エアリリースボタン）７４と、前記各部と電池、各スイッチ間を電気的に接続する配線と、を有する。
【００１７】
図９では負圧導入部５５を容器の抜気穴３ｂに直結した例を示しているが、後述するようにアダプタ１００を介して負圧導入部５５を容器の抜気穴３ｂと連通接続させてもよい。
負圧調整部６０は、外気を導入する外気導入部６２（外気導入用チューブ６２Ａ）と、外気導入部６２に配置されて開閉動作することにより負圧生成部と負圧導入部との間に外気を供給したり供給遮断するエアリリース用の電磁弁（ソレノイド）６４と、を備えている。
電磁弁６４は、図示しないソレノイド本体と、ソレノイド本体により進退自在に支持されたプランジャとを備え、プランジャの位置により外気導入用チューブ６２Ａを開閉したり、開放量（閉止量）を微調整するように構成する。
電源スイッチ７２をオンして負圧生成部５３を稼動させた状態で、電磁弁の作動スイッチ７４を押した場合、作動スイッチを押している時間中、電磁弁を構成するソレノイドが作動（開放動作）し続けて負圧導入部５５から容器本体内に供給される負圧に外気を混入させ続ける構成とする。例えば、作動スイッチ７４を押している期間中、外気導入部６２からの外気が負圧生成部５３からの負圧に混入されることにより、負圧導入部から導入される負圧の値を低下させて容器本体内を徐々に昇圧することができる。また作動スイッチ７４を細かく複数回に分けて押すことによっても負圧を段階的に解消させることができる。作動スイッチ７４を押圧しない場合には、負圧生成部５３によって生成された負圧が最大限容器本体内に供給されることになる。
なお、図示しない制御手段を搭載することにより、減圧のオンオフ、負圧の強弱、負圧供給タイミング等を調整するリズミカルなプログラム制御が可能になり、個々の使用者にとって最適なリズムで吸引する等の調節が可能となり、ＥＤ治療に役立てる可能性もある。
【００１８】
（減圧装置本体）
図９に示した原理を実現する減圧装置（本体）の構成例を図４乃至図８に基づいて説明する。
この減圧装置本体５１は、負圧生成部５３、負圧導入部（吸引口）５５、排気部５７、負圧調整部６０等を保持するベース部材８０と、ベース部材の外周適所から下方に突出したレバー８２と、ベース部材８０に対して着脱され、ベース部材に装着された時にベース部材上の負圧生成部５３、負圧導入部５５、排気部５７、及び負圧調整部６０等を覆う下面が開放したドーム状の外装ケース８４と、ベース部材８０の下面から着脱される電池ボックス８６（電池７０）と、を概略備えている。
レバー８２には、負圧生成部の電源スイッチ７２、電磁弁の作動スイッチ７４が搭載されて指により操作できるようになっている。レバー８２の形状は、後述するように減圧装置本体の下面にアダプタ１００を装着した時にレバー全体がアダプタの外側面にオーバーハングするように外装ケース８４の外周面よりもＬ字状に外径方向へ突出している。
【００１９】
ベース部材８０の下面には異なったサイズの射精促進装置１に適合する装着部１０４を備えた複数種類のアダプタ１００を選択的に着脱できるように構成されている。ベース部材８０の下面にはアダプタの装着部１０４に設けた係止部１０４ａに対して着脱自在に係止する被係止部８０ｃが設けられている。
負圧生成部５３から延びる負圧導入用のチューブ５３Ａ（図７）は、ベース部材８０の底面中央部に突出して設けられた負圧導入部（吸入口）５５と連通している。このため、負圧生成部５３が作動すると負圧導入部５５から負圧が導入される。この負圧導入部５５はアダプタ１００を介して容器の抜気穴３ｂと連通することにより容器本体内の空間Ｓを減圧することができる。
負圧導入用のチューブ５３Ａに対して、例えば負圧調整部６０を構成する外気導入用のチューブ６２Ａから供給された外気を導入することにより、負圧導入部５５へ供給される負圧の値を調整することができる。外気を全く導入しない場合には負圧生成部５３が生成した負圧がそのまま負圧導入部５５へ供給され、外気が導入される場合には導入した分だけ負圧が低減される。
【００２０】
電池ボックス８６は、ベース部材底面に装着された時に負圧導入部５５を備えたベース部材部分８０ａを露出させるための開口部８６ｂを有した底板８６ａと、底板の両端部から夫々ベース部材に向けて突出した電池保持部８６ｃと、を有する。各電池保持部８６ｃが、ベース部材８０の対応する位置に設けた２つの溝部８０ｂ（図８）内に嵌合したときに、電池保持部８６ｃにより保持された電池７０と、ベース部材側に設けた図示しない端子とが接続状態となって負圧生成部５３、及び負圧調整部６０に対して電力供給可能な状態となる。
電源として電池を用いることにより小型、軽量化が可能となり、携帯性、取扱性を高めることができる。電池により駆動されるモーター、ポンプの出力は最大であってもペニスに対する刺激を適正値に維持できるので過剰な吸引力となる虞がない。
【００２１】
（アダプタ）
図１０はアダプタの一例の外観斜視図であり、図１１（ａ）乃至（ｆ）はアダプタの正面図、左側面図、右側面図、背面図、平面図、及び底面図である。また、図１２（ａ）及び（ｂ）はアダプタを装着した射精促進装置の断面図である。
本例では減圧装置本体５１は容器本体には直接装着されず、アダプタ１００を介して容器本体に接続される。即ち、アダプタ１００は、減圧装置本体５１の下面に対して着脱自在に接続される接続部（上面）１０２と、接続部１０２にて減圧装置本体と適切に接続された状態で抜気穴３ｂを含む容器本体外面の一部を覆った時に、減圧装置本体側の負圧導入部５５を抜気穴３ｂと連通させる連通接続穴１０６を有した装着部１０４を備えている。
【００２２】
アダプタの下面に形成された凹所である装着部１０４は、装着対象となる容器本体の外面形状と整合した凹面形状を有しており、負圧導入部５５、及び抜気穴３ｂと対応した位置に連通接続穴１０６を備えている。連通接続穴１０６はアダプタの天井面を貫通し、上部で負圧導入部５５と連通し、下部で容器本体の抜気穴３ｂと連通する。
装着部１０４には係止部１０４ａが設けられており、この係止部１０４ａにはベース部材８０の下面に設けた被係止部８０ｃが着脱自在に係止する。アダプタに対する減圧装置本体の着脱構造は、射精促進装置の使用中に分離、脱落することがなく、しかも着脱が容易であればどのような形態であってもよい。
【００２３】
装着部１０４の内壁には、連通接続穴１０６の下部周縁に配置されたリング状の奥部パッキン１０８と、装着部１０４の内側壁に全周に渡って設けた周壁パッキン１０９と、を備える。奥部パッキン１０８は、射精促進装置１（容器本体３）側の外径、外形にバラツキや多少の変形がある場合に対応して連通接続穴１０６と抜気穴３ｂとの気密性を確保するための手段である。これによれば、多様な外形、形状を有した容器本体に対応して安定した接続状態、負圧導入状態を確保することができる。周壁パッキン１０９は、射精促進装置の容器本体の外形、外径がこれと密着する場合には周壁パッキンのみで容器の保持（外れ防止）と気密性確保を実現できるが、容器本体の径が細い、周面に凹凸がある等の事情により気密性を確保し切れない場合には奥部パッキン１０８によって最終的な気密性を確保することができる。
なお、２つのパッキン１０８、１０９は常に双方を併設する必要はなく、何れか一方のパッキンのみであってもよい。特に、パッキン１０８、１０９を併設する場合は勿論、パッキン１０９のみを配置する場合にも充分な気密性を確保することができる。
また、減圧装置本体５１とアダプタ１００（装着部１０４、連通接続穴１０６）とを一体化することにより、減圧装置本体自体に直接容器を着脱する構成としてもよい。この場合には、減圧装置本体５１が減圧装置５０となり、連通接続穴１０６が負圧導入部となる。
【００２４】
（減圧装置による減圧操作）
次に図１２に基づいて射精促進装置の容器本体内を減圧した状態で行われる精子採取（射精促進）手順について説明する。
図１２はペニスＰを挿入する前の状態を示しており、アダプタ１００の上側に装着された図示しない減圧装置本体５１からの負圧が抜気穴３ｂから導入されて容器２内の内圧が所定以下に低下するため、カット１０ａが開放して図１２（ａ）に示した矢印のような如き空気流を形成する。この状態では挿入空所１５内の空気がコア部材外部に排出されて挿入空所内が真空化（減圧）して行く。この状態でペニスＰを挿入空所１５内に挿入するとバキュームによりペニスが吸引されつつ挿入される。挿入空所内にペニスが挿入されると挿入空所内の空気がカット１０ａから排出されることにより真空状態に近づいて行く。
【００２５】
図１２（ｂ）に示したペニス挿入後に減圧装置本体５１が稼動し続ける限り、容器本体内部、挿入空所内部の空気は吸引されて外部に放出されて行き真空状態に近づく。挿入空所内が真空に近づくに連れて、ペニスに対する負荷が増大して行くが、使用者が負圧調整部６０を構成する電磁弁の作動スイッチ７４を操作することにより簡単に真空状態を解消してペニスに対する負荷を軽減することができる。
なお、容器本体内部には伸縮性のあるエラストマーから成るコア部材と弾性のある発泡ウレタン２０が配置されているため、真空状態に近づいても若干でも空気が残っていれば、ペニスをストロークすることができる。
このように本発明の減圧装置５０（減圧装置本体５１）によれば、コア部材を収容した容器２の内圧を任意に減少（増減）させることができる。容器本体内が減圧された状態で挿入空所１５にペニスを挿入して摺擦させたときにおけるペニス先端部に加わる刺激を充分に高めることができる。容器２の内圧を積極的に減圧させてペニス先端部とコア本体の密着力（吸着力）を高めることができるからである。
ペニスとコア部材との吸着力が過剰になった場合には負圧調整部６０を操作することにより、吸着力を低下させることが可能であり、安全性を確保することができる。
【００２６】
＜第２の実施形態＞
次に、図１３は本発明の第２の実施形態に係る射精促進装置の減圧装置の構成例を示す図である。
この減圧装置５０は減圧する対象物が、容器を有しないコア部材３０そのものである点が特徴的である。
言い換えれば、減圧装置５０は、ペニスを挿入する挿入口３１から内部に延びる挿入空所３２を有すると共に該挿入空所に内外を連通可能とする抜気穴３３を有したゲル状樹脂製の射精促進具３０に装着されて該挿入空所内を減圧する手段であって、抜気穴３３と連通する負圧導入部５５と、負圧導入部、及び抜気穴３３を経由して挿入空所３２内に導入する負圧を生成する負圧生成部５３と、負圧導入部から挿入空所３２内に供給される負圧を調整する負圧調整部６０と、を備えた構成が特徴的である。
コア部材（射精促進装置）３０は、下端面の挿入口３１から上方に延びる挿入空所３２を備えたゲル状樹脂から成り、その用途は第１の実施形態に係るコア部材１０と同等に精子採取である。ただ、このコア部材３０は容器本体内に収容されることなく使用者が手で把持して直接使用するタイプである。
【００２７】
このコア部材３０に減圧装置５０を適用する場合には、例えばコア部材３０の外周適所に硬質プラスチック等から成る環状の装着パーツ３５を固定しておき、この装着パーツ３５をアダプタ１００の下面に設けた図示しない装着部１０４によって係止できるように構成する。装着パーツ３５を装着部１０４によって保持した時にコア部材３０に設けた抜気穴３３がアダプタの連通接続穴１０６と連通することにより、減圧装置本体５１から導入された負圧がコア部材３０に導入されて挿入空所３２を減圧する。
なお、装着パーツ３５は必須ではなく、コア部材の形状、及びアダプタの装着部の構成を工夫することにより、ゲル状樹脂から成るコア部材に直接アダプタを装着することも可能である。
この実施形態においても、ペニスを挿入空所内に挿入した状態でバッテリー式の減圧装置５０を作動させることにより挿入空所内を減圧させてペニスに対する挿入空所内壁の吸着力を高めて刺激を高め、精子採取効率を高めることができる。
【００２８】
＜本発明の構成、作用、効果のまとめ＞
第１の本発明に係る射精促進装置の減圧装置は、挿入口から内部に延びる挿入空所を有すると共に該挿入空所に内外を連通可能とするバルブ部１０ａを有したゲル状樹脂製の射精促進具１０、及び該射精促進具を収容する容器２を備えた射精促進装置１に装着されて容器内を減圧する手段であり、容器に設けた抜気穴３ｂと連通する負圧導入部５５と、負圧導入部、及び抜気穴を経由して容器内に導入する負圧を生成する負圧生成部５３と、該負圧導入部から容器内に供給される負圧を調整する負圧調整部６０と、を備えたことを特徴とする。
負圧導入部５５は容器の抜気穴に直接連通してもよいし、他の連通手段（アダプタ１００）を経由して連通してもよい。負圧生成部５３により生成された負圧が容器本体内へ導入可能な構成であればよい。容器本体内が減圧されたことにより射精促進具１０のバルブ部（カット）１０ａを経由して挿入空所内に負圧が導入されて減圧されることとなる。
従来の減圧方法は、容器の抜気穴を塞ぎつつ（容器本体内を密閉空間としつつ）、ペニスを抜取り方向へ退避させるしかなかったため充分な減圧は難しかった。これに対して本発明の減圧装置によれば、電動による強い吸引力を確保できるため、ペニスを進退させなくても減圧（強く締め付け）できる。
【００２９】
挿入空所内にペニスが挿入された状態で負圧生成部５３からの負圧が挿入空所内を減圧させることにより、挿入空所内壁とペニスとの吸着力を高めてペニス摺擦時の刺激を高めることができる。減圧の駆動源はモーターにより駆動されるポンプであり、電動であるため強い出力を得ることができる。このため、射精に際して強い刺激を必要とする使用者にとって射精という目的を達成し易くなる。
つまり、射精に際して通常の男性に比べて強い刺激を必要とする者が射精促進装置を使用する場合であっても、本人に適した最適、且つ必要十分な刺激（バキューム感、吸着感）を与えて射精（精子採取）という目的を達成することができる。
また、締め付け圧が過剰となった時には負圧調整部６０を操作することにより、締め付け圧が過剰となることによる操作性の低下、違和感の発生、利用者の感度の低下等を防止することができる。
電源のオンオフ、減圧の強弱をリズミカルに組み合わせた多様な動作モードを実現できるようにプログラムしてもよい。このことによりＥＤ治療に役立てることができる。
電源として電池を用いた携帯可能な軽量タイプであり、取扱性にも優れる。
【００３０】
コア部材と容器との間、コア部材と抜気穴３ｂとの間に夫々発泡ウレタン等の多孔質柔軟材を介在させておくことにより、コア部材のバルブ部から漏出したローション等を発泡ウレタン等によって吸収、保持することができるので、減圧装置側にローション等が移行することを防止できる。ローション等を吸収した発泡ウレタン等は洗浄することにより再使用に供することができる。
容器の頂部に抜気穴がある場合には、抜気穴を回避したコア部材の側部等にバルブ部（常時は弾性的に閉止している）を設けておけば、吸引時にもコア部材内のローションはストレートには漏出してこない。つまり、容器の抜気穴を回避した離間位置にバルブ部を設けることにより、ローションの漏出を最小限に抑えることができる。仮に漏出したとしても発泡ウレタンからなるフィルター類により吸引、保持できるので、減圧装置側に吸引されることがない。
【００３１】
本発明の減圧装置に代えて家庭用の電気掃除機を用いて射精促進装置内部を減圧しようとしても、掃除機の吸引口を射精促進装置の抜気穴に対して適切に接続することが難しい。また、仮に接続して減圧できたとしても電気掃除機の吸引力は微調整できず、最小パワーでもペニスにとっては過剰な吸引力をもたらすために危険性が高い。また、掃除機で吸引すると、容器本体内部のゲル状樹脂製コア部材を吸引して破損させたり、コア部材外に配置されるローション漏出防止用のフィルター（スポンジ）までも吸引してしまう事態が発生する。
なお、負圧生成部５３を停止させた状態で負圧調整部６０のみを作動させることにより、容器本体内に外気を導入してその内圧を高めることもできる。この場合には負圧調整部に外気圧縮用のポンプを設けることとなる。
減圧装置側に保持した容器を回転させる回転駆動機構を設けることにより減圧しながら容器（コア部材）を回転させることも可能となる。ペニスに対してコア部材が回転することにより従来にない新たな刺激をペニスに対して与えることが可能となる。
【００３２】
第２の本発明に係る射精促進装置の減圧装置は、抜気穴３ｂを含む容器本体３の一部を覆った時に負圧導入部５５を抜気穴と連通させる装着部１０４を備えたことを特徴とする。
装着部に負圧導入部を設けることにより負圧導入部と抜気穴３ｂとを直結してもよいし、アダプタ１００の如き別部材に装着部を設けてもよい。
【００３３】
第３の本発明に係る射精促進装置の減圧装置は、負圧導入部５５、負圧生成部５３、及び負圧調整部６０を備えた減圧装置本体５１と、該減圧装置本体に着脱されるアダプタ１００と、を備え、装着部はアダプタに設けられていることを特徴とする。
減圧装置本体５１の負圧導入部５５に直接容器の抜気穴を接続してもよいし、アダプタに設けた装着部１０４（連通接続穴１０６）を介して抜気穴と接続してもよい。アダプタ１００を設けるメリットは、異なった外形状、構造を有した射精促進装置（容器）に対応しアダプタを複数種類用意しておき、一つの減圧装置本体によって異なった射精促進装置に対応させることができる点にある。
減圧装置本体とアダプタの如き構成を備えた接続部材を一体化してもよい。
【００３４】
第４の本発明に係る射精促進装置の減圧装置は、挿入口から内部に延びる挿入空所を有すると共に該挿入空所に内外を連通可能とする抜気穴３３を有したゲル状樹脂製の射精促進具３０に装着されて該挿入空所内を減圧する手段であって、抜気穴と連通する負圧導入部と、負圧導入部、及び抜気穴を経由して挿入空所内に導入する負圧を生成する負圧生成部と、該負圧導入部から挿入空所内に供給される負圧を調整する負圧調整部と、を備えたことを特徴とする。
本発明によれば、ゲル状樹脂製の射精促進具に対して直接減圧装置を装着して使用することが可能となる。
【００３５】
＜本出願人が関与している医学的な研究例＞
本発明の減圧装置を適用する射精促進装置は、本出願人らによる研究開発、宣伝、販売努力により、現在では、医学的な研究、治療のための要請や、性犯罪防止、売春防止、及び性病の蔓延防止等の社会的な要請に適った存在感を得るに至っている。
【００３６】
本出願人が大学や病院等の医学的な研究機関との提携で、２０１４年１０月までに実施している医学的な研究例として以下の実例を挙げる。
１．獨協医科大学越谷病院泌尿器科にて、本出願人の製品である射精促進装置を用いて精子採取実験を行っている。
これは、射精促進装置を用いた場合と、手による射精行為によった場合とで、何れの方がより良好な精子を採取できるかの実験、研究である。
本出願人の製品である射精促進装置、ＴＥＮＧＡ（登録商標、ディープスロート・カップ）を使って採取した精子と、普通に手を使って射精した精子を比較研究した。被験者は、２０名。
精子の質、量を見るのみならず、マウスの卵に人の精子を受精させ、初期分裂の具合をも比較する。
２０１４年１０月末に研究終了。
２．スペイン性機能クリニックのロドリゲス氏（臨床心理士、性科学者）による早漏リハビリ研究  http://www.isemu.es/index.html
早漏患者に対し本出願人の製品である射精促進装置（登録商標、ＥＧＧ）を使用して射精させたところ改善が見られたので、より本格的な射精促進装置である、FLIP  HOLE＼フリップホール（登録商標）で被験者２０名に対して６週間に渡り実験を実施した。
結果は、国際性科学会雑誌に論文として投稿予定。
３．シンガポールのGleneagles病院  Lim教授の早漏リハビリ研究（現在進行中）
http://gleneagles.com.sg/DoctorsCV/Urology/Dr-Lim-Huat-Chye-Peter?speciality=UROLOGY
早漏スコア最高点の人を対象に、射精促進装置（登録商標、TENGA）でリハビリ治療した場合と、治療薬を使った場合との効果を比較研究する。
実験期間は３か月であり、２０１４年１０月まで行われた。
【符号の説明】
【００３７】
１…射精促進装置、２…容器、３…容器本体、３Ａ…大径部、３Ｂ…大径部、３Ｃ…中間部、３ａ…他端部、３ｂ…抜気穴、４…開口部、５…キャップ、１０…コア部材（射精促進具）、１０ａ…カット（バルブ部）、１３…挿入口、１５…挿入空所、２０…発泡ウレタン、２１…フィルター、２３…内部ウレタン、２４…リング、３０…コア部材（射精促進具）、３１…挿入口、３２…挿入空所、３３…抜気穴、３５…装着パーツ、５０…減圧装置、５１…減圧装置本体、５３…負圧生成部、５３Ａ…チューブ、５３ａ…ポンプ、５３ｂ…モーター、５５…負圧導入部、５７…排気部、６０…負圧調整部、６２…外気導入部、６２Ａ…外気導入用チューブ、６４…電磁弁、７０…電池、７２…電源スイッチ、７４…作動スイッチ、８０…ベース部材、８０ａ…ベース部材部分、８０ｂ…溝部、８２…レバー、８４…外装ケース、８６…電池ボックス、８６ａ…底板、８６ｂ…開口部、８６ｃ…電池保持部、１００…アダプタ、１０２…接続部、１０４…装着部、１０６…連通接続穴、１０８…奥部パッキン、１０９…周壁パッキン
【図１】
2016132462.tif 000003
【図２】
2016132462.tif 000004
【図３】
2016132462.tif 000005
【図４】
2016132462.tif 000006
【図５】
2016132462.tif 000007
【図６】
2016132462.tif 000008
【図７】
2016132462.tif 000009
【図８】
2016132462.tif 000010
【図９】
2016132462.tif 000011
【図１０】
2016132462.tif 000012
【図１１】
2016132462.tif 000013
【図１２】
2016132462.tif 000014
【図１３】
2016132462.tif 000015
【国際調査報告】
2016132462.tif 000016
2016132462.tif 000017